(57)【要約】【課題】窓面積の減少するのを緩和することができるとともに、騒音の発生の少ない窓取付同時給排形換気扇を提供することを目的とする。【解決手段】室内側給気口１と室内側排気口２および室外側給気口３と室外側排気口４を設け、内部に給気用送風手段７と排気用送風手段９を設け室外１７に設置される本体５と、窓用排気口１０と窓用排気口１１を設け窓枠１３に取り付けられる窓用枠１２とを設け、窓用給気口１０と室内側給気口１と給気ダクト１５で接続し、窓用排気口１１と室内側排気口２を排気ダクト１６で接続することにより、窓面積の減少するのを緩和し、騒音の発生の少なくできる窓用同時給排形換気扇が得られる。【選択図】　図１
2004092923.tif 000002
【特許請求の範囲】
【請求項１】
室内側給気口と室内側排気口および、室外側給気口と室外側排気口を設けた本体と、この本体内に室外側給気口から室内側給気口に至る給気流路に設けられる給気用送風手段と、前記本体内の室内側排気口から室外側排気口に至る排気流路に設けられる排気用送風手段と、窓用給気口と窓用排気口を設けた窓用枠と、この窓用枠の窓用給気口と前記本体の室内側給気口を接続する給気ダクトと、前記窓用枠の窓用排気口と前記本体の室内側排気口を接続する排気ダクトとを備え、前記本体を室外に設置し、前記窓用枠を窓枠に取り付ける構成とした窓取付同時給排形換気装置。
【請求項２】
窓用枠に設けられる窓用給気口を上部に設け、窓用排気口を下部に設けた請求項１記載の窓取付同時給排形換気装置。
【請求項３】
窓用枠の左右に窓枠に固定する固定手段を設けた請求項１または２記載の窓取付同時給排形換気扇。
【発明の詳細な説明】
【０００１】
【発明の属する技術分野】
本発明は、窓を利用して室内空気を排気し、室外空気を同時に給気する窓取付同時給排形換気扇に関する。
【０００２】
【従来の技術】
近年、集合住宅における換気は集合住宅の気密性が高い傾向にあるため第３種換気（排気のみによる換気）では給気量が十分確保しにくいことから十分な換気ができないものであった。そして、同時に給排気を行う第１種換気（同時給排の換気）が普及しつつあるものの既築の住宅の場合には新たに換気のための開口を確保することが難しい状態にあった。また、集合住宅においては外壁面が法律上共用部分となるため、開口を新たに設けられないものであった。
【０００３】
従来、この種の窓を利用して設置される換気扇としては第３種換気（排気のみによる換気）のものが知られていた。また、外気を室内に取り入れる第２種方式（給気のみ）のウインドファンが知られていた。
【０００４】
【発明が解決しようとする課題】
このような従来の窓を利用して設置される換気扇やウインドファンは装置本体自体を取付枠等を介して窓に取り付けるものであるため、装置本体の示める占有面積の部分が大きく窓面積を減少し窓としての価値が低下するという課題があり、窓面積の減少を少なくすることが要求されていた。また、装置本体を窓に取り付けるため装置本体から発生する騒音が室内に侵入するとともに、装置本体の振動が窓に伝達され騒音を発生するという課題があった。
【０００５】
本発明は上記課題を解決するもので、窓面積の減少するのを緩和することができるとともに、騒音の発生の少ない窓取付同時給排形換気扇を提供することを目的とする。
【０００６】
【課題を解決するための手段】
本発明の窓取付同時給排形換気扇においては、室内側給気口と室内側排気口および室外側給気口と室外側排気口を設けた本体と、この本体内の室外側給気口から室内側給気口に至る給気流路に設けられる給気用送風手段と、前記本体内の室内側排気口から室外側排気口に至る排気流路に設けられる排気用送風手段と、窓用給気口と窓用排気口を設けた窓用枠と、この窓用枠の窓用給気口と前記本体の室内側給気口を接続する給気ダクトと、前記窓用枠の窓用排気口と前記本体の室内側排気口を接続する排気ダクトとを備え、前記本体を室外に設置し、前記窓用枠を窓枠に取り付ける構成としたものである。
【０００７】
この本発明によれば、窓面積の減少するのを緩和することができるとともに、騒音の発生の少ない窓取付同時給排形換気扇を提供することができる。
【０００８】
【発明の実施の形態】
本発明の請求項１の記載の発明は、室内側給気口と室内側排気口および室外側給気口と室外側排気口を設けた本体と、この本体内の室外側給気口から室内側給気口に至る給気流路に設けられる給気用送風手段と、前記本体内の室内側排気口から室外側排気口に至る排気流路に設けられる排気用送風手段と、窓用給気口と窓用排気口を設けた窓用枠と、この窓用枠の窓用給気口と前記本体の室内側給気口を接続する給気ダクトと、前記窓用枠の窓用排気口と前記本体の室内側排気口を接続する排気ダクトとを備え、前記本体を室外に設置し、前記窓用枠を窓枠に取り付ける構成としたことにより、窓には幅のせまい窓用枠のみが設けられることにより、窓面積の減少するのを少なくすることができ、また、本体を室外に設置することにより室内への騒音が伝達するのが緩和されるという作用を有する。
【０００９】
以下、本発明の実施の形態について図１および図２を参照しながら説明する。
【００１０】
（実施の形態１）
図１および図２に示すように、室内側給気口１と室内側排気口２および室外側給気口３と室外側排気口４を設けた本体５の内部に室外側給気口３から室内側給気口１に至る給気流路６に給気用送風手段７を設け、室内側排気口２から室外側排気口４に至る排気流路８に排気用送風手段９を設け、窓用給気口１０を上部に窓用排気口１１を下部に設けた幅のせまい窓用枠１２を形成し、窓用枠１２の左右には窓用枠１２を窓枠３に固定するサッシ引戸金具等からなる固定手段１４を設け、窓用枠１２の窓用給気口１０と本体５の室内側給気口１を接続する給気ダクト１５を設け、窓用枠１２の窓用排気口１１と本体５の室内側排気口２を接続する排気ダクト１６を設け構成する。
【００１１】
固定手段１４は、窓用枠１２の左右にそれぞれ少なくとも１箇所以上設けられ、窓用枠１２を窓枠３に強固に固定するもので、室内１８側または、室外１７側に配置される。固定手段１４は、窓枠３に係合されて保持されるような形状で、例えばＬ字状に形成され、ねじ等により、窓用枠１２に固定されるものである。
【００１２】
上記構成において、本体５を建物のベランダ等の室外１７に設置し、窓用枠１２を室外１７と室内１８の仕切り部分となる窓の窓枠１３に取り付け、本体５の室内側給気口１を給気ダクト１５を介して窓用枠１２に設けた窓用給気口１０に接続し、本体５の室内側排気口２を排気ダクト１６を介して窓用枠１２に設けた窓用排気口１１に接続し、窓用枠１２を固定手段１４を介して窓枠１３に固定する。
【００１３】
そして、窓取付同時給排形換気扇を運転すると、本体５に設けた給気用送風手段７により室外１７の空気が室外側給気口３より給気され、室内側給気口１より給気ダクトを通って窓用枠１２に設けた窓用給気口１０より室内に給気される。これと同時に、本体５に設けた排気用送風手段９により室内１８の空気が窓用枠１２に設けた窓用排気口１１より排気ダクト１６を通り、本体５の室外側排気口４より室外１７に排気されることとなる。
【００１４】
このように本発明の実施の形態１の窓取付同時給排形換気扇によれば、室内側給気口１と室内側排気口２および室外側給気口３と室外側排気口４を設けた本体５と、この本体５内の室外側給気口３から室内側給気口１に至る給気流路６に設けられる給気用送風手段７と、本体５内の室内側排気口２から室外側排気口４に至る排気流路８に設けられる排気用送風手段９と、窓用給気口１０と窓用排気口１１を設けた窓用枠１２と、この窓用枠１２の窓用給気口１０と本体５の室内側給気口１を接続する給気ダクト１５と、窓用枠１２の窓用排気口１１と本体５の室内側排気口２を接続する排気ダクト１６とを設け、本体５を室外に設置し、窓用枠１２を窓枠１３に取り付ける構成としたので、窓枠１３に設けられる窓用枠１２は窓用給気口１０と窓用排気口１１を設けるだけで幅をせまく形成することができ、窓枠１３に取り付けたときに、窓面積を減少させる割合が小さく窓の価値が下がることもなくなる。
【００１５】
そして、本体５をベランダ等の室外１７に設置することにより、本体５で発生する騒音や振動が室内１８に伝達されるのが緩和され静かな雰囲気を維持できる。
【００１６】
また、窓用枠１２に設けられる窓用給気口１０を上部に設け、窓用排気口１１を下部に設けたので、冬期に低温の外気を給気したときの冷気によるドラフト感が緩和でき、また、窓用排気口１１を下方に設けることで、ハウスダスト等のほこりが排出されやすくなる。さらに、窓用給気口１０を窓用枠１２の天井に近い側の上部に設け、窓用排気口１１を窓用枠１２の床に近い側の下部に設けることにより、室内１８の空気の流れが、室内１８の床側と天井側でできる気流により、室内１８の全体に形成され、効果的な換気が行われることとなる。
【００１７】
また、窓用枠の左右に窓枠１３に固定する固定手段１４を設けたので、サッシ窓１８や窓枠１３に窓用枠１２が固定され、窓用枠１２の外れが防止されるとともに、気密性の確保が可能となる。
【００１８】
【発明の効果】
以上の実施の形態から明らかなように、本発明によれば室内側給気口と室内側排気口および室外側給気口と室外側排気口を設けた本体と、この本体内の室外側給気口から室内側給気口に至る給気流路に設けられる給気用送風手段と、前記本体内の室内側排気口から室外側排気口に至る排気流路に設けられる排気用送風手段と、窓用給気口と窓用排気口を設けた窓用枠と、この窓用枠の窓用給気口と前記本体の室内側給気口を接続する給気ダクトと、前記窓用枠の窓用排気口と前記本体の室内側排気口を接続する排気ダクトとを備え、前記本体を室外に設置し、前記窓用枠を窓枠に取り付ける構成としたので、窓枠に取り付けられる窓用枠を給気・排気ダクトの外径寸法または窓用の給気・排気口の大きさにまでの寸法に幅を小さくできるので、窓面積の減少を最小限にでき、また、本体の騒音が室内に伝ぱんするのが少なくできる窓取付同時給排形換気扇を提供できる。
【００１９】
また、窓用枠に設けられる窓用給気口を上部に設け、窓用排気口を下部に設けたので、冬期の冷気によるドラフト感が緩和でき、また、排気口を下部に設けることでハウスダクト等のほこりが排出しやすくなる。
【００２０】
また、窓用枠の左右に窓枠に固定する固定手段を設けたので、窓用枠の外れ防止と気密性の確保が可能になる。
【図面の簡単な説明】
【図１】本発明の実施の形態１の窓取付同時給排形換気扇の設置状態を示す断面図
【図２】同窓取付同時給排形換気扇の窓用枠の斜視図
【符号の説明】
１　室内側給気口
２　室内側排気口
３　室外側給気口
４　室外側排気口
５　本体
６　給気流路
７　給気用送風手段
８　排気流路
９　排気用送風手段
１０　窓用給気口
１１　窓用排気口
１２　窓用枠
１３　窓枠
１４　固定手段
１５　給気ダクト
１６　排気ダクト
１７　室外
【図１】
2004092923.tif 000003
【図２】
2004092923.tif 000004